(57)【要約】  サーバ装置は、電力を利用して移動可能な移動体に対して着脱自在に装着されるバッテリを、複数の利用者が共同利用するサービスを提供するサーバ装置であって、複数の利用者それぞれが前記バッテリを利用した際の電力消費率に関する情報を該利用者毎に取得する取得部と、前記取得部が取得した複数の利用者の電力消費率に基づいて、電力消費率が改善された結果を前記利用者毎に算出する算出部と、を備える。
2020027196.tif 000002
【特許請求の範囲】
【請求項１】
電力を利用して移動可能な移動体に対して着脱自在に装着されるバッテリを、複数の利用者が共同利用するサービスを提供するサーバ装置であって、
複数の前記利用者それぞれが前記バッテリを利用した際の電力消費率に関する情報を該利用者毎に取得する取得部と、
前記取得部が取得した複数の前記利用者の前記電力消費率に基づいて、前記電力消費率が改善された結果を前記利用者毎に算出する算出部と、
を備えるサーバ装置。
【請求項２】
前記電力消費率に関する情報は、前記バッテリの貸出期間における使用電力量と前記移動体の走行距離を含む、
請求項１に記載のサーバ装置。
【請求項３】
前記電力消費率に関する情報は、前記バッテリの利用者を識別可能な情報である利用者識別情報を含み、
前記算出部は、前記利用者識別情報に基づいて前記バッテリの利用者を特定する、
請求項１又は請求項２に記載のサーバ装置。
【請求項４】
前記バッテリの貸出期間において、前記バッテリを識別可能な情報であるバッテリ識別情報と、前記利用者と前記利用者を識別可能な情報である利用者識別情報のいずれかと、を対応付けて対応情報として記憶する記憶部をさらに備え、
前記算出部は、前記バッテリ識別情報及び前記対応情報に基づいて前記バッテリの利用者を特定する、
請求項１又は請求項２に記載のサーバ装置。
【請求項５】
前記算出部は、前記電力消費率が改善された結果に基づいて、前記利用者に与える報奨を算出する、
請求項１から請求項４のいずれか１項に記載のサーバ装置。
【請求項６】
電力を利用して移動可能な移動体に対して着脱自在に装着されるバッテリを、複数の利用者が共同利用するサービスを提供するバッテリ共同利用サービスシステムであって、
前記利用者が利用した際の電力消費率に関する情報を記憶するバッテリと、
前記バッテリを充電し、前記バッテリから取得した前記電力消費率に関する情報をサーバ装置へ送信する充電装置と、
前記充電装置から受信した前記電力消費率に関する情報に基づいて、前記電力消費率が改善された結果を前記利用者毎に算出するサーバ装置と、
を備えるバッテリ共同利用サービスシステム。
【請求項７】
前記電力消費率に関する情報は、前記バッテリの貸出期間における使用電力量と前記移動体の走行距離を含む、
請求項６に記載のバッテリ共同利用サービスシステム。
【請求項８】
前記電力消費率に関する情報は、前記バッテリの利用者を識別可能な情報である利用者識別情報を含み、
前記サーバ装置は、前記利用者識別情報に基づいて前記バッテリの利用者を特定する、
請求項６又は７に記載のバッテリ共同利用サービスシステム。
【請求項９】
電力を利用して移動可能な移動体に対して着脱自在に装着されるバッテリを、複数の利用者が共同利用するサービスを提供するバッテリ共同利用サービスシステムであって、
前記利用者が利用した際の電力消費率に関する情報を記憶するバッテリと、
前記バッテリから前記電力消費率に関する情報を取得し、取得した前記電力消費率に関する情報をサーバ装置へ送信する通信装置と、
前記通信装置から受信した前記電力消費率に関する情報に基づいて、前記電力消費率が改善された結果を前記利用者毎に算出するサーバ装置と、
を備えるバッテリ共同利用サービスシステム。
【請求項１０】
前記電力消費率に関する情報は、前記バッテリの貸出期間における使用電力量と前記移動体の走行距離を含む、
請求項９に記載のバッテリ共同利用サービスシステム。
【請求項１１】
前記電力消費率に関する情報は、前記バッテリの利用者を識別可能な情報である利用者識別情報を含み、
前記サーバ装置は、前記利用者識別情報に基づいて前記バッテリの利用者を特定する、
請求項９又は１０に記載のバッテリ共同利用サービスシステム。
【請求項１２】
前記利用者が利用する情報端末をさらに備え、
前記サーバ装置は、前記電力消費率が改善された結果を、前記バッテリを充電する充電装置および前記情報端末のうちの少なくとも１つに送信し、
前記充電装置又は前記情報端末は、前記電力消費率が改善された結果を表示する、
請求項６から請求項１１のいずれか１項に記載のバッテリ共同利用サービスシステム。
【請求項１３】
電力を利用して移動可能な移動体に対して着脱自在に装着されるバッテリを複数の利用者が共同利用するサービスを提供するための方法であって、
複数の前記利用者それぞれが前記バッテリを利用した際の電力消費率に関する情報を該利用者毎に取得し、
取得した複数の前記利用者の前記電力消費率に基づいて、前記電力消費率が改善された結果を前記利用者毎に算出する、
方法。
【請求項１４】
電力を利用して移動可能な移動体に対して着脱自在に装着されるバッテリを、複数の利用者が共同利用するサービスを提供するためのコンピュータプログラムであって、
複数の前記利用者それぞれが前記バッテリを利用した際の電力消費率に関する情報を該利用者毎に取得する処理と、
取得した複数の前記利用者の前記電力消費率に基づいて、前記電力消費率が改善された結果を前記利用者毎に算出する処理と、
をコンピュータに実行させるためのコンピュータプログラム。
【請求項１５】
請求項１４に記載のコンピュータプログラムを記録したコンピュータ読み取り可能な記録媒体。
【発明の詳細な説明】
【技術分野】
【０００１】
本発明は、サーバ装置、バッテリ共同利用サービスシステム、方法、コンピュータプログラム及び記憶媒体に関する。
本願は、２０１８年７月３１日に出願された日本国特願２０１８−１４３６３８号に基づき優先権を主張し、その内容をここに援用する。
【背景技術】
【０００２】
電動車両等の移動体の駆動源であるバッテリ（電池）を着脱式にして、複数の利用者が共同利用するシェアサービスが知られている。このサービスでは、１つ以上の着脱式バッテリの保管及び充電を行う充電ステーションが設置されており、当該充電ステーションの利用者に対して課金を行う仕組みが構築されている。【０００３】
特許文献１には、携帯型電気エネルギー貯蔵装置（着脱式バッテリ）を使用して電力を消費した際に、携帯型電気エネルギー貯蔵装置を収集、充電、分配する収集充電分配装置（バッテリ交換ステーション）が記載されている。そして、特許文献１に記載の技術では、収集充電分配装置は携帯型電気エネルギー貯蔵装置を収集、充電、分配のために着脱自在に収容する複数の収容器を有する。
また、特許文献２には、移動体本体に対してバッテリを着脱可能に装填できる移動体の他の例として、バッテリと、バッテリを収容可能な収容室が形成された充電給電ユニットとを有する可搬型充電給電装置が開示されている。
【先行技術文献】
【特許文献】
【０００４】
【特許文献１】特表２０１４−５２７６８９号公報
【特許文献２】日本国特開２０１９−０６８５５２号公報
【発明の概要】
【発明が解決しようとする課題】
【０００５】
しかしながら、車両等の移動体の電動化は二酸化炭素（ＣＯ２）削減等の環境問題に端を発するものであり、モビリティの電動化だけではなく、利用者のＥＶ（Ｅｌｅｃｔｒｉｃ  Ｖｅｈｉｃｌｅ；電気自動車）等の移動体の使用環境においてもＣＯ２削減（電力消費率の向上により電力消費量を削減する）が望まれる。【０００６】
本発明の態様は、利用者のＥＶ等の移動体の使用環境において二酸化炭素の削減に寄与することができるサーバ装置、バッテリ共同利用サービスシステム、方法、コンピュータプログラム及び記憶媒体を提供する。
【課題を解決するための手段】
【０００７】
（１）本発明の一態様に係るサーバ装置は、電力を利用して移動可能な移動体に対して着脱自在に装着されるバッテリを、複数の利用者が共同利用するサービスを提供するサーバ装置であって、複数の前記利用者それぞれが前記バッテリを利用した際の電力消費率に関する情報を取得する取得部と、前記取得部が取得した複数の前記利用者の前記電力消費率に基づいて、前記電力消費率が改善された結果を前記利用者毎に算出する算出部と、を備える。【０００８】
（２）また、本発明の一態様に係るサーバ装置において、前記電力消費率に関する情報は、前記バッテリの貸出期間における使用電力量と前記移動体の走行距離を含むようにしてもよい。【０００９】
（３）また、本発明の一態様に係るサーバ装置において、前記電力消費率に関する情報は、前記バッテリの利用者を識別可能な情報である利用者識別情報を含み、前記算出部は、前記利用者識別情報に基づいて前記バッテリの利用者を特定するようにしてもよい。【００１０】
（４）また、本発明の一態様に係るサーバ装置において、前記バッテリの貸出期間において、前記バッテリを識別可能な情報であるバッテリ識別情報と、前記利用者と前記利用者を識別可能な情報である利用者識別情報のいずれかと、を対応付けて対応情報として記憶する記憶部をさらに備え、前記算出部は、前記バッテリ識別情報及び前記対応情報に基づいて前記バッテリの利用者を特定するようにしてもよい。【００１１】
（５）また、本発明の一態様に係るサーバ装置において、前記算出部は、前記電力消費率が改善された結果に基づいて、前記利用者に与える報奨を算出するようにしてもよい。【００１２】
（６）本発明の一態様に係るバッテリ共同利用サービスシステムは、電力を利用して移動可能な移動体に対して着脱自在に装着されるバッテリを、複数の利用者が共同利用するサービスを提供するバッテリ共同利用サービスシステムであって、前記利用者が利用した際の電力消費率に関する情報を記憶するバッテリと、前記バッテリを充電し、前記バッテリから取得した前記電力消費率に関する情報をサーバ装置へ送信する充電装置と、前記充電装置から受信した前記電力消費率に関する情報に基づいて、前記電力消費率が改善された結果を前記利用者毎に算出するサーバ装置と、を備える。【００１３】
（７）また、本発明の一態様に係るバッテリ共同利用サービスシステムにおいて、前記電力消費率に関する情報は、前記バッテリの貸出期間における使用電力量と前記移動体の走行距離を含んでもよい。【００１４】
（８）また、本発明の一態様に係るバッテリ共同利用サービスシステムにおいて、前記電力消費率に関する情報は、前記バッテリの利用者を識別可能な情報である利用者識別情報を含んでもよく、前記サーバ装置は、前記利用者識別情報に基づいて前記バッテリの利用者を特定してもよい。【００１５】
（９）本発明の一態様に係るバッテリ共同利用サービスシステムは、電力を利用して移動可能な移動体に対して着脱自在に装着されるバッテリを、複数の利用者が共同利用するサービスを提供するバッテリ共同利用サービスシステムであって、前記利用者が利用した際の電力消費率に関する情報を記憶するバッテリと、前記バッテリから前記電力消費率に関する情報を取得し、取得した前記電力消費率に関する情報をサーバ装置へ送信する通信装置と、前記通信装置から受信した前記電力消費率に関する情報に基づいて、前記電力消費率が改善された結果を前記利用者毎に算出するサーバ装置と、を備える。【００１６】
（１０）また、本発明の一態様に係るバッテリ共同利用サービスシステムにおいて、前記電力消費率に関する情報は、前記バッテリの貸出期間における使用電力量と前記移動体の走行距離を含んでもよい。【００１７】
（１１）また、本発明の一態様に係るバッテリ共同利用サービスシステムにおいて、前記電力消費率に関する情報は、前記バッテリの利用者を識別可能な情報である利用者識別情報を含んでもよく、前記サーバ装置は、前記利用者識別情報に基づいて前記バッテリの利用者を特定してもよい。【００１８】
（１２）また、本発明の一態様に係るバッテリ共同利用サービスシステムにおいて、利用者が利用する情報端末をさらに備え、前記サーバ装置は、前記電力消費率が改善された結果を、前記バッテリを充電する充電装置および前記情報端末のうちの少なくとも１つに送信し、前記充電装置又は前記情報端末は、前記電力消費率が改善された結果を表示するようにしてもよい。【００１９】
（１３）本発明の一態様に係る、電力を利用して移動可能な移動体に対して着脱自在に装着されるバッテリを複数の利用者が共同利用するサービスを提供するための方法は、複数の前記利用者それぞれが前記バッテリを利用した際の電力消費率に関する情報を該利用者毎に取得し、取得した複数の前記利用者の前記電力消費率に基づいて、前記電力消費率が改善された結果を前記利用者毎に算出する。【００２０】
（１４）本発明の一態様に係るコンピュータプログラムは、電力を利用して移動可能な移動体に対して着脱自在に装着されるバッテリを、複数の利用者が共同利用するサービスを提供するためのコンピュータプログラムであって、複数の前記利用者それぞれが前記バッテリを利用した際の電力消費率に関する情報を該利用者毎に取得する処理と、取得した複数の前記利用者の前記電力消費率に基づいて、前記電力消費率が改善された結果を前記利用者毎に算出する処理と、をコンピュータに実行させる。【００２１】
（１５）本発明の一態様に係る記憶媒体は、上記（１４）の態様のコンピュータプログラムを記録したコンピュータ読み取り可能な記録媒体である。
【発明の効果】
【００２２】
上述した（１）、（６）、（９）、（１３）、（１４）、（１５）の態様によれば、電力消費率が改善された結果を算出するようにしたので、電力消費率を良くさせるための利用者のモチベーションを向上させることができる。これにより、上述した（１）、（６）、（９）、（１３）、（１４）、（１５）の態様によれば、利用者のＥＶ等の移動体の使用環境においても二酸化炭素の削減（電力消費率の向上により電力消費量を削減）に寄与することができる。【００２３】
上述した（２）、（７）、（１０）の態様によれば、貸出期間における使用電力量と移動体の走行距離に基づいて電力消費率を算出することで、精度良く利用者毎の電力消費率を算出することができる。
上述した（３）、（８）、（１１）の態様によれば、電力消費率に関する情報は、バッテリの利用者を識別可能な情報である利用者識別情報を含むので、取得した情報から利用者を特定して、利用者毎の電力消費率を算出することができる。【００２４】
上述した（４）の態様によれば、バッテリの貸出期間において、バッテリを識別可能な情報であるバッテリ識別情報と、利用者と利用者を識別可能な情報である利用者識別情報のいずれかと、を対応付けて対応情報として記憶するようにした。これにより、上述した（４）の態様によれば、取得した情報と記憶している情報から利用者を特定して、利用者毎の電力消費率を算出することができる。【００２５】
上述した（５）の態様によれば、電力消費率に基づいて還元量（報奨）を利用者に与えるようにしたので、電力消費率を良くさせるための利用者のモチベーションを向上させることができる。これにより、上述した（５）の態様によれば、利用者のＥＶ等の移動体の使用環境においても二酸化炭素の削減（電力消費率の向上により電力消費量を削減）に寄与することができる。
上述した（１２）の態様によれば、還元量（報奨）を充電ステーション（充電装置）および情報端末の少なくとも１つに表示させることができる。
【図面の簡単な説明】
【００２６】
【図１】第１実施形態における電力供給システムの全体構成を示す図である。
【図２】第１実施形態に係る着脱式バッテリとユーザＩＤとの関係の推移を示す図である。
【図３】第１実施形態に係る着脱式バッテリとユーザＩＤとの関係を示す図である。
【図４】第１実施形態に係る着脱式バッテリの構成例を示す図である。
【図５】第１実施形態に係る充電ステーションの構成例を示す図である。
【図６】第１実施形態に係る管理サーバの構成例を示す図である。
【図７】第１実施形態に係る利用者毎の電力消費率、電力消費率の改善結果及び付与ポイントの例を示す図である。
【図８】第１実施形態に係るポイントの付与例を示す図である。
【図９】第１実施形態に係る電気代削減に基づくポイントの還元例を示す図である。
【図１０】第１実施形態に係るバッテリ共同利用サービスシステムが行う処理のフローチャートである。
【図１１】第１実施形態に係る携帯端末の表示部上に表示される画像例を示す図である。
【図１２】第２実施形態におけるバッテリ共同利用サービスシステムの全体構成を示す図である。
【図１３】第２実施形態に係る自動二輪車の構成例を示す図である。
【発明を実施するための形態】
【００２７】
以下、本発明の実施の形態について図面を参照しながら説明する。なお、以下の説明に用いる図面では、各部材を認識可能な大きさとするため、各部材の縮尺を適宜変更している。
【００２８】
＜第１実施形態＞
［全体構成］
図１は、本実施形態におけるバッテリ共同利用サービスシステム（電池シェアサービスシステム）１０の全体構成を示す図である。
図１に示すように、バッテリ共同利用サービスシステム１０は、鞍乗り型の自動二輪車１２（鞍乗型車両、移動体）等の移動体、着脱式バッテリ１４（バッテリ、電池）、充電ステーション（充電装置）１６、管理サーバ１８（サーバ装置）、および携帯端末２８を含んで構成される。
移動体は、図1に示す自動二輪車１２（電動の鞍乗型車両）以外の車両を含む。車両ではない移動体の例は、例えば日本国特開２０１９−０６８５５２号公報に記載の、人や車両によって運ばれる可搬型充電給電装置である。
その他、移動体は、移動ロボット、自律走行装置、電動自転車、自律走行車、その他の電動車両、ドローン飛行体、又はその他の電動式移動装置（電動モビリティ）であってもよい。
以下、移動体の例として自動二輪車１２を用いた一実施形態について詳述する。
【００２９】
バッテリ共同利用サービスシステム１０は、自動二輪車１２の駆動源である着脱式バッテリ１４を、複数の利用者が共同利用するシェアサービスを提供するシステムである。自動二輪車１２は、着脱式バッテリ１４から供給される電力によって走行する電動ＥＶ車両である。
【００３０】
電力会社３０は、電力を、送電網ＰＴを介して充電ステーション１６に供給する。電力会社３０は、例えばネットワークＮＷを介して、電力使用量を管理サーバ１８へ送信する。
【００３１】
着脱式バッテリ１４は、少なくとも電力により走行可能な自動二輪車１２に対して着脱自在に装着されるカセット式の蓄電装置である。着脱式バッテリ１４は、電池使用状態情報を記憶する。電池使用状態情報は電力消費率に関する情報とも呼ぶことができ、電池使用状態情報には、着脱式バッテリ１４の貸し出し時から返却時までの使用電力量と、着脱式バッテリ１４の貸し出し時から返却時までの自動二輪車１２の走行距離情報と、着脱式バッテリ１４の識別情報（バッテリ識別情報、バッテリＩＤともいう）が含まれている。なお、電池使用状態情報又は電力消費率に関する情報は、着脱式バッテリ１４の貸し出し時から返却時までの使用電力量と、着脱式バッテリ１４の貸し出し時から返却時までの自動二輪車１２の走行距離情報（すなわち、移動体の走行距離）とで構成されてもよい。
以下、説明の便宜上、充電が必要になった着脱式バッテリ１４を「使用済みバッテリ１４ｕ」、充電が完了した着脱式バッテリ１４を「充電済みバッテリ１４ｃ」と区別する場合がある。なお、着脱式バッテリ１４は、１つの自動二輪車１２に少なくとも１つが搭載されている。着脱式バッテリ１４の構成については後述する。なお、本実施形態において、バッテリ共同利用サービスシステム１０で用いられる着脱式バッテリ１４は１種類であるとする。
【００３２】
充電ステーション１６は、１つ以上の着脱式バッテリ１４の保管及び充電を行うための設備であり、複数の場所に設置されている。充電ステーション１６の筐体２０には、複数個（図１の例では１２個）のスロットからなるスロット部２１と、表示器１６１と、認証器１６２と、が設けられている。充電ステーション１６は、ネットワークＮＷを介して、管理サーバ１８と通信可能に接続されている。ネットワークＮＷは、無線通信網または有線通信網である。スロット部２１の奥側には、着脱式バッテリ１４を充電可能な充電器１６３（図３）と接続部１６４（図３）が設けられている。充電ステーション１６は、スロット部２１に挿入された着脱式バッテリ１４から電池使用状態情報（電力消費率に関する情報）を取得する。充電ステーション１６は、取得した電池使用状態情報を管理サーバ１８へ送信する。充電ステーション１６は、使用済みバッテリ１４ｕの個数と、充電済みバッテリ１４ｃの個数を管理サーバ１８に送信する。
【００３３】
管理サーバ１８は、充電ステーション１６が送信する使用済みバッテリ１４ｕの個数と、充電済みバッテリ１４ｃの個数を取得し、取得した情報に基づいて充電ステーション１６が保管している着脱式バッテリ１４を管理する。管理サーバ１８は、例えば携帯端末２８を利用者が操作した結果に基づいて、着脱式バッテリ１４を貸し出しの予約処理を行う。管理サーバ１８は、予約結果を携帯端末２８へ送信する。管理サーバ１８は、利用者が着脱式バッテリ１４を利用した状況に応じて課金を行う。なお、課金方法は、年契約、月契約、回数契約、一回毎の契約であってもよい。管理サーバ１８は、充電ステーション１６、および携帯端末２８と、ネットワークＮＷを介して通信可能に接続されている。
管理サーバ１８は、充電ステーション１６から受信した電池使用状態情報（電力消費率に関する情報）に基づいて、利用者毎にポイント（還元量、報奨）を算出する。管理サーバ１８は、算出したポイントに関するポイント情報を、例えば携帯端末２８へ送信する。なお、ポイントの算出方法については後述する。
【００３４】
携帯端末２８は、利用者が携行する端末であり、例えばスマートフォン、タブレット端末、ノートパソコン等である。携帯端末２８は、表示部２８０１を備える。利用者は携帯端末２８を操作して、着脱式バッテリ１４を貸し出し可能な充電ステーション１６のうち１つを選択して予約する。携帯端末２８は、操作された結果を管理サーバ１８に送信する。携帯端末２８は、管理サーバ１８が送信するポイント情報を受信し、受信したポイント情報を表示部２８０１上に表示させる。
【００３５】
［着脱式バッテリ１４とユーザＩＤとの関係］
次に、バッテリ共同利用サービスシステム１０における着脱式バッテリ１４と利用者の識別情報（利用者識別情報、ユーザＩＤ）との関係を説明する。
図２は、本実施形態に係るバッテリＩＤとユーザＩＤとの関係の推移を示す図である。
【００３６】
（ステップＳ１）利用者は、本システムを利用開始する際、バッテリ供給店もしくは充電ステーション１６に訪れる。利用者は、初回バッテリ引渡し時に、利用者情報を登録する。利用者情報には、利用者の氏名、利用者の住所、乗車している自動二輪車１２の情報、利用料金の引き落とし先の情報等が含まれている。続いて、バッテリ供給店もしくは充電ステーション１６は、取得した利用者情報を管理サーバ１８へ送信する。続けて、管理サーバ１８は、取得した利用者情報を記憶する。続いて、管理サーバ１８は、利用者情報に基づいてユーザＩＤを生成し、生成したユーザＩＤを充電ステーション１６に送信する。続けて、バッテリ供給店もしくは充電ステーション１６は、貸し出す着脱式バッテリ１４のバッテリＩＤにユーザＩＤを紐付け、紐付けた情報を管理サーバ１８へ送信する。なお、管理サーバ１８は、バッテリＩＤを記憶している。
なお、ユーザＩＤは、バッテリ供給店もしくは充電ステーション１６が生成してもよく、この場合、充電ステーション１６が貸し出す着脱式バッテリ１４のバッテリＩＤに生成したユーザＩＤを紐付けて管理サーバ１８へ送信するようにしてもよい。
【００３７】
（ステップＳ２）利用者は、使用済みの着脱式バッテリ１４（使用済みバッテリ１４ｕ）を返却するため充電ステーション１６に訪れる。
【００３８】
（ステップＳ３）充電ステーション１６は、返却された使用済みバッテリ１４ｕのバッテリＩＤを読み出す。続けて、充電ステーション１６は、使用済みバッテリ１４ｕのバッテリＩＤと、貸し出し可能な充電済みバッテリ１４ｃのバッテリＩＤと、を管理サーバ１８へ送信する。続けて、管理サーバ１８は、充電ステーション１６から受信した情報に基づいて、返却された使用済みバッテリ１４ｕのバッテリＩＤに紐付けられているユーザＩＤの紐付けを解除し、貸し出す充電済みバッテリ１４ｃのバッテリＩＤにユーザＩＤを紐付けし直すことで、紐付け情報の移行を行う。続けて、管理サーバ１８は、新たに紐付けた情報を充電ステーション１６へ送信する。
【００３９】
（ステップＳ４）充電ステーション１６は、管理サーバ１８によって紐付け情報の移行が終了した後、ユーザＩＤが新たに紐付けられた着脱式バッテリ１４（充電済みバッテリ１４ｃ）を貸し出す。
【００４０】
図３は、本実施形態に係る着脱式バッテリ１４とユーザＩＤとの関係を示す図である。
図３に示す例では、２０１７年１２月６日にバッテリＩＤ「ＢＡＴ００００１」が返却され、この着脱式バッテリ１４には返却時にユーザＩＤ「ＵＳＥ００００１」が紐付けられている。管理サーバ１８は、この紐付けを解除し、貸し出す着脱式バッテリ１４のバッテリＩＤ「ＢＡＴ０００１２」にユーザＩＤ「ＵＳＥ００００１」を紐付け直す。
【００４１】
［着脱式バッテリ１４の構成］
次に、着脱式バッテリ１４の構成例を説明する。
図４は、本実施形態に係る着脱式バッテリ１４の構成例を示す図である。図４に示すように、着脱式バッテリ１４は、蓄電部１４１、測定センサ１４２、ＢＭＵ１４３、記憶部１４４、および接続部１４５を備える。
【００４２】
蓄電部１４１は、例えば、二次電池や鉛蓄電池やキャパシタやリチウムイオン電池等のいずれか１つである。
測定センサ１４２は、電流や温度を測定する各種センサから構成されている。測定センサ１４２は、測定した測定値をＢＭＵ１４３に出力する。温度センサは、蓄電部１４１の温度を測定する。また、電流センサは、蓄電部１４１に流れる電流値を測定する。
【００４３】
ＢＭＵ１４３は、バッテリーマネージメントユニット（Ｂａｔｔｅｒｙ  Ｍａｎａｇｅｍｅｎｔ  Ｕｎｉｔ）であり、蓄電部１４１への充電や給電を制御する。ＢＭＵ１４３は、例えば所定のタイミング毎に測定センサ１４２が出力する測定値を記憶部１４４に記憶させる。ＢＭＵ１４３は、着脱式バッテリ１４のＳＯＣ（Ｓｔａｔｅ  Ｏｆ  Ｃｈａｒｇｅ）、残容量、放電時の電流・電圧の情報に基づいて、着脱式バッテリ１４の貸し出し時から返却時までの使用電力量を算出し、算出した使用電力量を記憶部１４４に記憶させる。ＢＭＵ１４３は、着脱式バッテリ１４の貸出から返却までの貸出期間の走行距離に関する走行距離情報を自動二輪車１２から取得して、取得した走行距離情報を記憶部１４４に記憶させる。ＢＭＵ１４３は、バッテリＩＤに使用電力量と走行距離情報を関連付けて記憶部１４４に記憶させる。ＢＭＵ１４３は、充電ステーション１６のスロット部２１に着脱式バッテリ１４が挿入された場合、記憶部１４４が記憶する情報を充電ステーション１６に出力する。
【００４４】
記憶部１４４は、電池使用状態情報（電力消費率に関する情報）を記憶する。記憶部１４４は、着脱式バッテリ１４の識別情報、貸出期間の測定センサ１４２の測定値（含む温度情報）、貸出期間の着脱式バッテリ１４のＳＯＣの情報等を記憶する。記憶部１４４は、ＢＭＵ１４３に処理を実行させるプログラムを記憶する。
【００４５】
接続部１４５は、充電ステーション１６のスロット部２１との接続部であり、通信機能を有している。
【００４６】
［充電ステーション１６の構成］
次に、充電ステーション１６の構成例を説明する。
図５は、本実施形態に係る充電ステーション１６の構成例を示す図である。図５に示すように、充電ステーション１６は、表示器１６１、認証器１６２、充電器１６３、接続部１６４、通信部１６５、記憶部１６６、および制御部１６７を備える。
制御部１６７は、充電制御部１６７１、測定センサ１６７２、および情報取得部１６７３を備える。
なお、充電ステーション１６は、送電網ＰＴから電力の供給を受ける。
【００４７】
表示器１６１は、液晶表示装置、有機ＥＬ（Ｅｌｅｃｔｒｏ  Ｌｕｍｉｎｅｓｃｅｎｃｅ）表示装置、電子インク表示装置等のいずれか１つである。表示器１６１は、制御部１６７が出力する情報を表示する。表示される情報は、例えば着脱式バッテリ１４の残容量や使用料金等である。
【００４８】
認証器１６２は、例えば近距離通信（ＮＦＣ；Ｎｅａｒ  Ｆｉｅｌｄ  Ｃｏｍｍｕｎｉｃａｔｉｏｎ）を用いて利用者が携行するＮＦＣカード（不図示）の記録情報を読み取る機器である。これにより、充電ステーション１６は、この記録情報に含まれるユーザＩＤを読み取る。認証器１６２は、取得したユーザＩＤを制御部１６７に出力し、通信部１６５が出力する認証結果に基づいてシェアサービスの利用権限を有する利用者を認証する。
【００４９】
充電器１６３は、着脱式バッテリ１４の接続部１４５と、充電ステーション１６の接続部１６４とを接続した状態下に着脱式バッテリ１４を制御部１６７の制御に応じて充電する機器である。充電器１６３には、着脱式バッテリ１４に電力を供給するための電源（不図示）が接続されている。
【００５０】
接続部１６４は、着脱式バッテリ１４との接続部であり、電力の供給と、情報の送受信を行う。接続部１６４は、着脱式バッテリ１４が出力する電池使用状態情報（電力消費率に関する情報）を取得し、取得した電池使用状態情報を情報取得部１６７３に出力する。
【００５１】
通信部１６５は、制御部１６７が出力する電池使用状態情報（電力消費率に関する情報）を、ネットワークＮＷを介して管理サーバ１８へ送信する。通信部１６５は、管理サーバ１８が送信した着脱式バッテリ１４の予約情報を受信し、受信した着脱式バッテリ１４の予約情報を制御部１６７に出力する。通信部１６５は、制御部１６７が出力する充電ステーション１６が付与された貸し出し可能な着脱式バッテリ１４の個数等を管理サーバ１８へ送信する。通信部１６５は、制御部１６７が出力する充電ステーション１６の識別情報が付与されたユーザＩＤを管理サーバ１８へ送信する。通信部１６５は、管理サーバ１８が認証を行った認証結果を受信し、受信した認証結果を認証器１６２に出力する。
【００５２】
記憶部１６６は、充電ステーション１６の識別情報を記憶し、着脱式バッテリ１４が返却された際に電池使用状態情報（電力消費率に関する情報）等を記憶する。記憶部１６６は、制御部１６７に処理を実行させるプログラムを記憶する。
【００５３】
制御部１６７は、接続部１６４が出力する電池使用状態情報（電力消費率に関する情報）を取得し、取得した電池使用状態情報を通信部１６５に出力する。なお、電池使用状態情報にはバッテリＩＤが付与されている。このバッテリＩＤには、上述したようにユーザＩＤが紐付けられている。なお、制御部１６７は、電池使用状態情報（電力消費率に関する情報）を記憶部１６６に記憶させるようにしてもよい。
なお、制御部１６７は、記憶部１６６が記憶するプログラムを読み出し実行することで、充電制御部１６７１、情報取得部１６７３、および処理部１６７４として機能する。制御部１６７は、記憶部１６６が記憶する情報に基づいて貸し出し可能な着脱式バッテリ１４の個数を検出し、検出した貸し出し可能な着脱式バッテリ１４の個数に充電ステーション１６が付与して通信部１６５に出力する。
制御部１６７は、認証器１６２によって利用者の認証が成功した場合に、利用者への着脱式バッテリ１４の貸し出しを許可する。
【００５４】
充電制御部１６７１は、測定センサ１６７２の測定値に基づいて、充電器１６３を制御して、スロット部２１に挿入された着脱式バッテリ１４への充電を制御する。
【００５５】
測定センサ１６７２は、例えば電流センサ、電圧センサである。測定センサ１６７２は、着脱式バッテリ１４に流れる電流値と電圧値を測定し、測定した測定値を充電制御部１６７１に出力する。
【００５６】
情報取得部１６７３は、接続部１６４に接続された着脱式バッテリ１４が出力する電池情報を取得し、取得した電池情報を記憶部１６６に記憶させる。
【００５７】
［管理サーバ１８の構成］
次に、管理サーバ１８の構成例を説明する。
図６は、本実施形態に係る管理サーバ１８の構成例を示す図である。図６に示すように、管理サーバ１８は、通信部１８１、記憶部１８２、制御部１８３、および出力部１８４を備える。また、制御部１８３は、情報取得部１８３１、および算出部１８３２を備える。
【００５８】
通信部１８１は、充電ステーション１６が送信した電池使用状態情報（電力消費率に関する情報）を、ネットワークＮＷを介して受信し、受信した電池使用状態情報を制御部１８３へ出力する。通信部１８１は、制御部１８３が出力するポイント（報奨）に関する情報を、ネットワークＮＷを介して携帯端末２８へ送信する。
【００５９】
記憶部１８２は、貸出期間においてバッテリＩＤ（バッテリ識別情報）と、利用者とユーザＩＤ（利用者識別情報）のいずれかを対応付けて対応情報として記憶する。
記憶部１８２は、利用者毎かつ利用毎の使用電力量と走行距離情報を記憶する。記憶部１８２は、制御部１８３に処理を実行させるプログラムを記憶する。
【００６０】
制御部１８３は、通信部１８１が出力する電池使用状態情報（電力消費率に関する情報）を取得し、取得した電池使用状態情報を記憶部１８２に記憶させる。制御部１８３は、使用者毎かつ利用毎に電力消費率を算出する。制御部１８３は、所定の期間における利用者毎の電力消費率の平均値を算出する。制御部１８３は、算出した利用者毎の電力消費率に基づいて利用者毎のポイント（報奨）を算出する。所定の期間は、例えば一週間である。
なお、本実施形態においては、電力消費率の単位は、［ｋｍ／ｋｗｈ］を用いて説明する。ただし、電力消費率は、電力エネルギー源（各種電源、バッテリなど）の単位容量あたりの走行距離、もしくは一定の距離をどれだけの電力で走れるかを示す指標であり、この指標を満たすものであれば［ｋｍ／ｋｗｈ］以外を単位として用いてもよい。
【００６１】
情報取得部１８３１は、通信部１８１が出力する電池使用状態情報（電力消費率に関する情報）を取得し、取得した電池使用状態情報を算出部１８３２に出力する。
【００６２】
算出部１８３２は、着脱式バッテリ１４が返却された際に電力消費率を算出し、バッテリＩＤに紐付けられているユーザＩＤに算出した電力消費率を関連付けて記憶部１８２に記憶させる。
算出部１８３２は、バッテリＩＤ（バッテリ識別情報）及び記憶部１８２が記憶している対応情報に基づいて、返却された着脱式バッテリ１４の利用者を特定する。
算出部１８３２は、例えば、複数の利用者の電力消費率に基づいて、電力消費率が改善された結果を利用者毎に算出し、算出した結果に基づいて利用者毎のポイント（報奨）を算出する。
また、算出部１８３２は、例えば、任意のタイミング毎に、利用者毎の電力消費率の平均値を算出し、算出した結果に基づいて利用者毎のポイント（報奨）を算出する。なお、ポイントの算出方法については後述する。任意のタイミングは、例えば１週間毎または一ヶ月毎である。
【００６３】
出力部１８４は、画像表示装置または印刷装置等である。出力部１８４は、制御部１８３が出力する利用者毎のポイントを表示または印字する。
【００６４】
［ポイントの算出方法］
次に、ポイントの算出方法について説明する。
図７は、本実施形態に係る利用者毎の電力消費率、電力消費率の改善結果及び付与ポイントの例を示す図である。
管理サーバ１８の算出部１８３２は、着脱式バッテリ１４が返却された際に、充電ステーション１６から取得した情報に基づいて、貸し出しから返却までの電力消費率［ｋｍ／ｋｗｈ］を利用者毎かつ利用毎に算出する。算出部１８３２は、図７に示すように算出した電力消費率をユーザＩＤに関連付けて記憶部１８２に記憶させる。図７に示す例では、記憶部１８２がユーザＩＤ「ＵＳＥ００００１」に、電力消費率「８．７［ｋｍ／ｋｗｈ］」と「８．５［ｋｍ／ｋｗｈ］」、・・・を関連付けて記憶する。
【００６５】
具体的には、情報取得部１８３１は、返却された着脱式バッテリ１４（バッテリＩＤ「ＢＡＴ００００１」）の使用電力量と走行距離情報を前記利用者毎に取得する。算出部１８３２は、取得した使用電力量と走行距離情報を用いて、利用一回目の電力消費率「８．７［ｋｍ／ｋｗｈ］」を算出する。
算出部１８３２は、返却された着脱式バッテリ１４のバッテリＩＤ「ＢＡＴ００００１」に紐付けられているユーザＩＤ「ＵＳＥ００００１」を記憶部１８２から読み出す。算出部１８３２は、ユーザＩＤ「ＵＳＥ００００１」に電力消費率「８．７［ｋｍ／ｋｗｈ］」を関連付けて記憶部１８２に記憶させる。
【００６６】
情報取得部１８３１は、返却された着脱式バッテリ１４（バッテリＩＤ「ＢＡＴ０００１１」）の使用電力量と走行距離情報を取得する。算出部１８３２は、取得した使用電力量と走行距離情報を用いて、利用二回目の電力消費率「８．５［ｋｍ／ｋｗｈ］」を算出する。
算出部１８３２は、返却された着脱式バッテリ１４のバッテリＩＤ「ＢＡＴ００００１」に紐付けられているユーザＩＤ「ＵＳＥ００００１」を記憶部１８２から読み出す。算出部１８３２は、ユーザＩＤ「ＵＳＥ００００１」に電力消費率「８．５［ｋｍ／ｋｗｈ］」を関連付けて記憶部１８２に記憶させる。
【００６７】
算出部１８３２は、情報取得部１８３１が取得した利用者の電力消費率に基づいて、電力消費率が改善された結果を利用者毎に算出する。例えば、図７に示す例では、算出部１８３２は、ユーザＩＤ「ＵＳＥ００１０１」の利用一回目の電力消費率「９．０［ｋｍ／ｋｗｈ］」と利用二回目の電力消費率「９．４［ｋｍ／ｋｗｈ］」とを比較し、電力消費率の改善結果を算出する。図７の例では、算出部１８３２は、利用一回目と比べて利用二回目ではユーザＩＤ「ＵＳＥ００１０１」が、電力消費率を「＋０．４［ｋｍ／ｋｗｈ］」改善したと算出する。
【００６８】
算出部１８３２は、利用者毎に算出された電力消費率の改善結果に基づいて、各利用者に与える報奨を算出する。例えば、図７に示す例では、算出部１８３２は、利用者毎に算出された電力消費率の改善結果に基づいて、各利用者に与える報奨を付与ポイントとして算出する。具体的には、前回利用時と比べて電力消費率を改善（向上）させた利用者に対し、より大きいポイント（報奨）を付与する。例えば、算出部１８３２は、利用一回目と比べて利用二回目で電力消費率が改善されなかったユーザＩＤ「ＵＳＥ００００１」に対する付与ポイントは、０ポイントと算出する。また、例えば、算出部１８３２は、利用一回目と比べて利用二回目で電力消費率が「＋０．４［ｋｍ／ｋｗｈ］」改善されたユーザＩＤ「ＵＳＥ００００３」と「ＵＳＥ００１０１」に対する付与ポイントは、５ポイントと算出する。また、例えば、算出部１８３２は、利用一回目と比べて利用二回目で電力消費率が「＋０．６［ｋｍ／ｋｗｈ］」改善されたユーザＩＤ「ＵＳＥ００００２」に対する付与ポイントは、１０ポイントと算出する。
【００６９】
図８は、本実施形態に係るポイントの付与の別の例を示す図である。
算出部１８３２は、例えば週一回、利用者毎に電力消費率の平均値を求める。そして、算出部１８３２は、図８のように電力消費率の値が大きい順にデータを並び替える。算出部１８３２は、並び替えたデータのうち、所定の上位の利用者それぞれにポイントを付与する。図８に示す例では、電力消費率の平均値が９．０［ｋｍ／ｋｗｈ］以上の利用者に１０ポイントを付与し、８．０［ｋｍ／ｋｗｈ］以上の利用者に５ポイント付与した例である。なお、算出部１８３２は、上位から所定の人数全てに同じポイントを付与するようにしてもよい。
【００７０】
図９は、本実施形態に係る電気代削減に基づくポイントの還元例を示す図である。
自動二輪車１２を利用している利用者は、本サービスの提供者と、例えば月極で契約して料金を支払っているとする。電力消費率の良い走行が行われている方が電力消費率の悪い走行より充電回数が少なくて済むので、充電にかかる電力が少なくて済む。このように充電にかかる電力を削減することで、電力会社３０へ支払う電気代も削減できる。
【００７１】
管理サーバ１８は、このように削減出来たコストに基づいて、利用者に還元できる（与える）ポイントを算出する。また、管理サーバ１８は、上位何人にポイントを付与するかも算出する。このため、削減出来た電気代が多いほどポイントを付与する人数を多くしてもよい。または、ポイントを付与する人数は固定で、削減出来た電気代が多いほど、付与するポイントを多くするようにしてもよい。なお、管理サーバ１８は、閾値を設け、電力消費率が閾値以上かつ上位から所定人数にポイントを付与するようにしてもよい。
【００７２】
［バッテリ共同利用サービスシステム１０の処理手順］
次に、バッテリ共同利用サービスシステム１０が行う処理手順例を説明する。
図１０は、本実施形態に係るバッテリ共同利用サービスシステム１０が行う処理のフローチャートである。なお、図９に示す処理では、すでに複数の利用者それぞれが、最初の貸し出しの際に利用者の登録を行った後に行われる。
【００７３】
（ステップＳ１１）充電ステーション１６の制御部１６７は、利用者が着脱式バッテリ１４を返却した際、着脱式バッテリ１４の記憶部１４４から電池使用状態情報（電力消費率に関する情報）を読み出す。続けて、制御部１６７は、読み出した電池使用状態情報を通信部１６５によって管理サーバ１８へ送信する。
【００７４】
（ステップＳ１２）管理サーバ１８の算出部１８３２は、受信した電池使用状態情報（電力消費率に関する情報）を用いて、利用者毎かつ走行毎の電力消費率を算出し、算出した結果を記憶部１８２に記憶させる。なお、管理サーバ１８は、受信した電池使用状態情報に含まれるバッテリＩＤを記憶部１８２が記憶する情報を参照してユーザＩＤを探索し、返却された着脱式バッテリ１４の利用者を特定する。
【００７５】
（ステップＳ１３）算出部１８３２は、所定の期間における利用者毎の電力消費率の平均値を算出し、算出した利用者毎の電力消費率の平均値を記憶部１８２に記憶させる。なお、上述のように、算出部１８３２は、複数の利用者の電力消費率に基づいて、電力消費率が改善された結果を利用者毎に算出し、算出した電力消費率の改善結果を記憶部１８２に記憶してもよい。
【００７６】
（ステップＳ１４）算出部１８３２は、任意のタイミングで、算出した電力消費率の平均値が大きい順に並べ直す（ソートするともいう）。続けて、算出部１８３２は、ソートした結果、規定割合の上位利用者にポイントを付与する。また、利用者の電力消費率の改善結果に基づいてポイントを付与してもよい。この場合、例えば、前回利用時と比べて電力消費率を改善（向上）させた利用者に対し、より大きいポイント（報奨）を付与してもよい。
【００７７】
（ステップＳ１５）算出部１８３２は、ステップＳ１１〜Ｓ１４の処理を繰り返し、利用者毎にポイントを累積して記憶部１８２が記憶する情報を更新する。
【００７８】
（ステップＳ１６）算出部１８３２は、一定のポイントが貯まった段階で利用者から申請があった場合、ポイントを使って利用料金割引等のサービスを提供する。
【００７９】
一定ポイントは、例えば１００ポイントである。管理サーバ１８の制御部１８３は、ポイントを例えば毎月、携帯端末２８に通知する。利用者は、携帯端末２８の表示部２８０１上に表示されるポイントを確認し、例えば１００ポイントの利用を選択する。
【００８０】
なお、上述した例では、電池使用状態情報（電力消費率に関する情報）にバッテリＩＤが付与されている例を説明したが。これに限らない。着脱式バッテリ１４の貸し出し時に、充電ステーション１６の制御部１６７は、着脱式バッテリ１４の記憶部１４４に貸し出す利用者のユーザＩＤを記憶させるようにしてもよい。または、充電ステーション１６の制御部１６７は、着脱式バッテリ１４の返却時に、電池使用状態情報に認証器１６２によって取得したユーザＩＤを付与してもよい。これらの場合、充電ステーション１６の制御部１６７は、ユーザＩＤを含む電池使用状態情報を通信部１６５によって管理サーバ１８へ送信するようにしてもよい。
【００８１】
図１１は、本実施形態に係る携帯端末２８の表示部２８０１上に表示される画像例を示す図である。図１１において、符号ｇ２０１は、現在のポイント数を示す画像である。符号ｇ２０２は、ポイント利用申請のためのボタン画像である。符号ｇ２０３は、ポイントを利用するときに、使用するポイントを入力する欄の画像である。
なお、図１１に示した画像は一例であり、これに限らない。
また、管理サーバ１８の制御部１８３は、図１１に示した画像データを着脱式バッテリ１４の返却時に、充電ステーション１６に送信するようにしてもよい。この場合、制御部１８３は、図１１のような画像を表示器１６１上に表示させるようにしてもよい。
【００８２】
以上のように、本実施形態では、利用者が充電ステーション１６で着脱式バッテリ１４を借りてから返却するまでを１サイクルとし、管理サーバ１８が充電ステーション１６から受信した情報に基づいて１サイクル毎の電力消費率を使用充放電量と移動距離から計測するようにした。そして、本実施形態では、電力消費率が優れている利用者に対して、ポイント付与等のインセンティブを与え、累積ポイントによって料金の割引等を実施するサービスを提供するようにした。
【００８３】
この構成により、本実施形態によれば、利用者が電力消費率を良くさせることでポイント等の還元を受けることができるので、電力消費率を良くさせるための利用者のモチベーションを向上させることができる。これにより、本実施形態によれば、利用者のＥＶ使用環境においても二酸化炭素の削減（電力消費率の向上により電力消費量を削減）に寄与することができる。
【００８４】
＜第２実施形態＞
第１実施形態では、充電ステーション１６が着脱式バッテリ１４から取得した使用電力量と走行距離情報（電力消費率に関する情報）を管理サーバ１８へ送信する例を説明したが、これに限らない。本実施形態では、自動二輪車１２が通信装置を搭載し、通信装置が使用電力量と走行距離情報（電力消費率に関する情報）を管理サーバ１８へ送信する例を説明する。
【００８５】
［全体構成］
図１２は、本実施形態におけるバッテリ共同利用サービスシステム１０Ａの全体構成を示す図である。
図１２に示すように、バッテリ共同利用サービスシステム１０Ａは、鞍乗り型の自動二輪車１２（鞍乗型車両、移動体）、ＴＣＵ１３、着脱式バッテリ１４（バッテリ、電池）、充電ステーション（充電装置）１６、管理サーバ１８（サーバ装置）、および携帯端末２８を含んで構成される。バッテリ共同利用サービスシステム１０と同様の機能を有する構成要素には同じ符号を用いて説明を省略する。ＴＣＵ１３については、図１３を用いて説明する。
【００８６】
［自動二輪車１２の構成］
図１３は、本実施形態に係る自動二輪車１２の構成例を示す図である。図１３に示すように、自動二輪車（移動体）１２は、ＴＣＵ１３、表示器１２１、記憶部１２２、制御部１２３、および着脱式バッテリ１４を備えている。制御部１２３は、情報取得部１２３１、および算出部１２３２を備えている。
【００８７】
表示器１２１は、速度メータ、オドメータ、方向指示表示灯、シフトレバー位置表示灯、電池残量計等を含んで構成される。表示器１２１は、制御部１２３が出力する情報を表示する。
【００８８】
記憶部１２２は、着脱式バッテリ１４の貸し出し開始時からの走行距離（電力消費率に関する情報）を記憶する。記憶部１２２は、制御部１２３に処理を実行させるプログラムを記憶する。
【００８９】
制御部１２３は、着脱式バッテリ１４と自動二輪車１２から取得した情報に基づいて、表示器１２１に表示させる各種情報を生成し、生成した情報を表示器１２１に出力する。
【００９０】
情報取得部１２３１は、自動二輪車１２から走行距離を取得し、取得した走行距離を算出部１２３２に出力する。情報取得部１２３１は、着脱式バッテリ１４の記憶部１４４から使用電力量（電力消費率に関する情報）とバッテリＩＤを取得し、取得した使用電力量とバッテリＩＤをＴＣＵ１３に出力する。情報取得部１２３１は、記憶部１２２から走行距離情報を取得し、取得した走行情報をＴＣＵ１３に出力する。
【００９１】
算出部１２３２は、情報取得部１２３１が出力する走行距離を取得し、貸し出し開始時からの走行距離を算出する。算出部１２３２は、算出した貸し出し開始時からの走行距離を記憶部１２２に記憶させる。
【００９２】
ＴＣＵ（Ｔｅｌｅｍａｔｉｃｓ  Ｃｏｍｍｕｎｉｃａｔｉｏｎ  Ｕｎｉｔ）１３は、自動二輪車１２内に搭載されている通信ユニットである。ＴＣＵ１３は、情報取得部１２３１が出力する使用電力量とバッテリＩＤ、および走行距離情報を取得する。ＴＣＵ１３は、バッテリＩＤを付与した使用電力量と走行距離情報を、ネットワークＮＷを介して管理サーバ１８へ送信する。送信するタイミングは、例えば予め定められている時刻、または所定の時間間隔（例えば１分毎）である。
【００９３】
なお、自動二輪車１２は、ＧＰＳ（Ｇｌｏｂａｌ  Ｐｏｓｉｔｉｏｎｉｎｇ  Ｓｙｓｔｅｍ；全地球測位システム）受信器（不図示）を備えていてもよい。自動二輪車１２がＧＰＳ受信器を備えている場合、ＴＣＵ１３は、ＧＰＳ受信器から位置情報（緯度、経度）を取得し、バッテリＩＤを付与した使用電力量と走行距離情報に取得した位置情報も合わせて管理サーバ１８へ送信するようにしてもよい。
【００９４】
本実施形態においても、管理サーバ１８が、取得したバッテリＩＤが付与された使用電力量と走行距離情報（電力消費率に関する情報）に基づいて利用者毎の電力消費率を算出する。そして、管理サーバ１８が、利用者毎にポイントを付与する。
【００９５】
以上のように、本実施形態では、利用者が充電ステーション１６で着脱式バッテリ１４を借りてから、返却するまでを１サイクルとし、１サイクル毎の電力消費率を管理サーバ１８が使用充放電量と移動距離から計測するようにした。そして、本実施形態でも、第１実施形態と同様に電力消費率が優れている利用者に対して、ポイント付与等のインセンティブを与え、累積ポイントによって料金の割引等を実施するサービスを提供するようにした。
【００９６】
この構成により、本実施形態においても、第１実施形態と同様の効果を得ることができる。
【００９７】
なお、上述した第１実施形態、第２実施形態では、電力消費率が上位の利用者にポイントを還元量として還元する例を説明したが、これに限らない。還元量は利用料金からの割引金額であってもよく、無料利用回数や無料利用期間等であってもよい。
【００９８】
なお、上述した第１実施形態、第２実施形態では、電力消費率の上位の利用者のみに通知する例を説明したが、これに限らない。管理サーバ１８は、ポイントが付与されない利用者に対して、電力消費率を改善するためのアドバイスを利用者の携帯端末２８へ送信するようにしてもよい。
【００９９】
なお、本発明における管理サーバ１８の機能の全てまたは一部を実現するためのプログラムをコンピュータ読み取り可能な記録媒体に記録して、この記録媒体に記録されたプログラムをコンピュータシステムに読み込ませ、実行することにより管理サーバ１８が行う処理の全てまたは一部を行ってもよい。なお、ここでいう「コンピュータシステム」とは、ＯＳや周辺機器等のハードウェアを含むものとする。また、「コンピュータシステム」は、ホームページ提供環境（あるいは表示環境）を備えたＷＷＷシステムも含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【０１００】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであってもよい。さらに、前述した機能をコンピュータシステムにすでに記録されているプログラムとの組み合わせで実現できるもの、いわゆる差分ファイル（差分プログラム）であってもよい。
【０１０１】
以上、本発明を実施するための形態について実施形態を用いて説明したが、本発明はこうした実施形態に何等限定されるものではなく、本発明の要旨を逸脱しない範囲内において種々の変形および置換を加えることができる。
【符号の説明】
【０１０２】
１０，１０Ａ…バッテリ共同利用サービスシステム、１２…自動二輪車（移動体）、１３…ＴＣＵ、１４…着脱式バッテリ、１６…充電ステーション（充電装置）、１８…管理サーバ、２８…携帯端末、１４１…蓄電部、１４２…測定センサ、１４３…ＢＭＵ、１４４…記憶部、１４５…接続部、１６１…表示器、１６２…認証器、１６３…充電器、１６４…接続部、１６５…通信部、１６６…記憶部、１６７…制御部、１６７１…充電制御部、１６７２…測定センサ、１６７３…情報取得部、１８１…通信部、１８２…記憶部、１８３…制御部、１８４…出力部、１８３１…情報取得部、１８３２…算出部、１２１…表示器、１２２…記憶部、１２３…制御部、１２３１…情報取得部、１２３２…算出部
【図１】
2020027196.tif 000003
【図２】
2020027196.tif 000004
【図３】
2020027196.tif 000005
【図４】
2020027196.tif 000006
【図５】
2020027196.tif 000007
【図６】
2020027196.tif 000008
【図７】
2020027196.tif 000009
【図８】
2020027196.tif 000010
【図９】
2020027196.tif 000011
【図１０】
2020027196.tif 000012
【図１１】
2020027196.tif 000013
【図１２】
2020027196.tif 000014
【図１３】
2020027196.tif 000015
【手続補正書】
【提出日】令和2年6月9日(2020.6.9)
【手続補正１】
【補正対象書類名】特許請求の範囲
【補正対象項目名】全文
【補正方法】変更
【補正の内容】
【特許請求の範囲】
【請求項１】
電力を利用して移動可能な移動体に対して着脱自在に装着されるバッテリを、複数の利用者が共同利用するサービスを提供するサーバ装置であって、
複数の前記利用者それぞれが前記バッテリを利用した際の電力消費率に関する情報を該利用者毎に取得する取得部と、
前記取得部が取得した複数の前記利用者の前記電力消費率に基づいて、前記電力消費率が改善された結果を前記利用者毎に算出する算出部と、
を備えるサーバ装置。
【請求項２】
前記電力消費率に関する情報は、前記バッテリの貸出期間における使用電力量と前記移動体の走行距離を含む、
請求項１に記載のサーバ装置。
【請求項３】
前記電力消費率に関する情報は、前記バッテリの利用者を識別可能な情報である利用者識別情報を含み、
前記算出部は、前記利用者識別情報に基づいて前記バッテリの利用者を特定する、
請求項１又は請求項２に記載のサーバ装置。
【請求項４】
前記バッテリの貸出期間において、前記バッテリを識別可能な情報であるバッテリ識別情報と、前記利用者と前記利用者を識別可能な情報である利用者識別情報のいずれかと、を対応付けて対応情報として記憶する記憶部をさらに備え、
前記算出部は、前記バッテリ識別情報及び前記対応情報に基づいて前記バッテリの利用者を特定する、
請求項１又は請求項２に記載のサーバ装置。
【請求項５】
前記算出部は、前記電力消費率が改善された結果に基づいて、前記利用者に与える報奨を算出する、
請求項１から請求項４のいずれか１項に記載のサーバ装置。
【請求項６】
電力を利用して移動可能な移動体に対して着脱自在に装着されるバッテリを、複数の利用者が共同利用するサービスを提供するバッテリ共同利用サービスシステムであって、
前記利用者が利用した際の電力消費率に関する情報を記憶するバッテリと、
前記バッテリを充電し、前記バッテリから取得した前記電力消費率に関する情報をサーバ装置へ送信する充電装置と、
前記充電装置から受信した前記電力消費率に関する情報に基づいて、前記電力消費率が改善された結果を前記利用者毎に算出するサーバ装置と、
を備えるバッテリ共同利用サービスシステム。
【請求項７】
前記電力消費率に関する情報は、前記バッテリの貸出期間における使用電力量と前記移動体の走行距離を含む、
請求項６に記載のバッテリ共同利用サービスシステム。
【請求項８】
前記電力消費率に関する情報は、前記バッテリの利用者を識別可能な情報である利用者識別情報を含み、
前記サーバ装置は、前記利用者識別情報に基づいて前記バッテリの利用者を特定する、
請求項６又は７に記載のバッテリ共同利用サービスシステム。
【請求項９】
電力を利用して移動可能な移動体に対して着脱自在に装着されるバッテリを、複数の利用者が共同利用するサービスを提供するバッテリ共同利用サービスシステムであって、
前記利用者が利用した際の電力消費率に関する情報を記憶するバッテリと、
前記バッテリから前記電力消費率に関する情報を取得し、取得した前記電力消費率に関する情報をサーバ装置へ送信する通信装置と、
前記通信装置から受信した前記電力消費率に関する情報に基づいて、前記電力消費率が改善された結果を前記利用者毎に算出するサーバ装置と、
を備えるバッテリ共同利用サービスシステム。
【請求項１０】
前記電力消費率に関する情報は、前記バッテリの貸出期間における使用電力量と前記移動体の走行距離を含む、
請求項９に記載のバッテリ共同利用サービスシステム。
【請求項１１】
前記電力消費率に関する情報は、前記バッテリの利用者を識別可能な情報である利用者識別情報を含み、
前記サーバ装置は、前記利用者識別情報に基づいて前記バッテリの利用者を特定する、
請求項９又は１０に記載のバッテリ共同利用サービスシステム。
【請求項１２】
前記利用者が利用する情報端末をさらに備え、
前記サーバ装置は、前記電力消費率が改善された結果を、前記バッテリを充電する充電装置および前記情報端末のうちの少なくとも１つに送信し、
前記充電装置又は前記情報端末は、前記電力消費率が改善された結果を表示する、
請求項６から請求項１１のいずれか１項に記載のバッテリ共同利用サービスシステム。
【請求項１３】
電力を利用して移動可能な移動体に対して着脱自在に装着されるバッテリを複数の利用者が共同利用するサービスを提供するための方法であって、
サーバ装置のコンピュータが、
複数の前記利用者それぞれが前記バッテリを利用した際の電力消費率に関する情報を該利用者毎に取得し、
取得した複数の前記利用者の前記電力消費率に基づいて、前記電力消費率が改善された結果を前記利用者毎に算出する、
方法。
【請求項１４】
電力を利用して移動可能な移動体に対して着脱自在に装着されるバッテリを、複数の利用者が共同利用するサービスを提供するためのコンピュータプログラムであって、
複数の前記利用者それぞれが前記バッテリを利用した際の電力消費率に関する情報を該利用者毎に取得する処理と、
取得した複数の前記利用者の前記電力消費率に基づいて、前記電力消費率が改善された結果を前記利用者毎に算出する処理と、
をコンピュータに実行させるためのコンピュータプログラム。
【請求項１５】
請求項１４に記載のコンピュータプログラムを記録したコンピュータ読み取り可能な記録媒体。
【手続補正２】
【補正対象書類名】明細書
【補正対象項目名】００１９
【補正方法】変更
【補正の内容】
【００１９】
（１３）本実施形態に係る、電力を利用して移動可能な移動体に対して着脱自在に装着されるバッテリを複数の利用者が共同利用するサービスを提供するための方法は、サーバ装置のコンピュータが、複数の前記利用者それぞれが前記バッテリを利用した際の電力消費率に関する情報を該利用者毎に取得し、取得した複数の前記利用者の前記電力消費率に基づいて、前記電力消費率が改善された結果を前記利用者毎に算出する。
【国際調査報告】
2020027196.tif 000016
2020027196.tif 000017
2020027196.tif 000018
2020027196.tif 000019